(57)【要約】      （修正有）【課題】電子機器を電波暗箱や電波暗室の中で動作させ、その制御を行う差動信号を電気磁気的に絶縁された電波暗箱や電波暗室から外部に引き出す差動伝送ラインや機器に信号を送るための差動伝送ラインを設けると、その差動伝送ラインをノイズが伝わりノイズが電波暗箱や電波暗室の外部に漏れ、電波暗箱や電波暗室の内部と外部の絶縁性能が劣化する。【解決手段】被試験物２が入る空間を有する電波暗箱または電波暗室１本体と、電波暗室本体の外部に引き出される差動伝送ライン３と、この伝送ラインに直列に接続され、前記電波暗箱または電波暗室の本体壁に設置されたコモンモードノイズを抑制する装置５とから構成され、コモンモードノイズを抑制する装置は、コモンモードチョークコイル、絶縁トランス、バランス抵抗あるいはバランスインダクタのいずれかあるいはこれらの組み合わせた回路構造とすることにより、電波暗箱や電波暗室の絶縁性能の劣化を防ぐ。【選択図】図２
2009283644.tif 000002
【特許請求の範囲】
【請求項１】
被試験物が入る空間を有する電波暗箱または電波暗室本体と、前記電波暗箱または電波暗室本体の外部に引き出される差動伝送ラインと、前記差動伝送ラインに直列に接続され、前記電波暗箱または電波暗室の本体壁に少なくとも一部が接して設置されたコモンモードノイズを抑制する装置とからなる電波暗箱または電波暗室であって、前記コモンモードノイズを抑制する装置が、コモンモードチョークコイルまたは絶縁トランスで構成された回路構造を持つことを特徴とする電波暗箱または電波暗室。
【請求項２】
前記コモンモードノイズを抑制する装置の回路構造が、前記差動伝送ラインに複数個直列に接続されるコモンモードチョークコイルまたは絶縁トランスおよびコモンモードチョークコイルと絶縁トランスの組み合わせた回路構造であることを特徴とする請求項１に記載の電波暗箱または電波暗室。
【請求項３】
被試験物が入る空間を有する電波暗箱または電波暗室本体と、前記電波暗箱または電波暗室本体の外部に引き出される差動伝送ラインと、前記差動伝送ラインに直列に接続され、前記電波暗箱または電波暗室の本体壁に少なくとも一部が接して設置されたコモンモードノイズを抑制する装置とからなる電波暗箱または電波暗室であって、前記コモンモードノイズを抑制する装置が、コモンモードチョークコイルと、前記差動伝送ライン間に接続された、2つのバランス抵抗を直列に接続した抵抗バランサとを有し、前記抵抗バランサは前記コモンモードチョークコイルの入出力端子の片側または両側に実装され、前記抵抗バランサのバランス抵抗を直列に結ぶ接続線がグランドに接続される回路構造を持つことを特徴とする電波暗箱または電波暗室。
【請求項４】
前記コモンモードノイズを抑制する装置の回路構造において、前記抵抗バランサの一部または全部が、２つのバランスインダクタからなるインダクタバランサまたは中間タップつきインダクタであり、前記インダクタバランサまたは前記中間タップ付きインダクタの中間タップとグランドを接続する経路に抵抗体が挿入された回路構造であることを特徴とする請求項３に記載の電波暗箱または電波暗室。
【請求項５】
前記コモンモードノイズを抑制する装置が、前記差動伝送ラインに接続される前記回路構造を複数個直列に接続した回路構造を持つことを特徴とする請求項３または請求項４に記載の電波暗箱または電波暗室。
【請求項６】
被試験物が入る空間を有する電波暗箱または電波暗室本体と、前記電波暗箱または電波暗室本体の外部に引き出される差動伝送ラインと、前記差動伝送ラインに直列に接続され、前記電波暗箱または電波暗室の本体壁に少なくとも一部が接して設置されたコモンモードノイズを抑制する装置とからなる電波暗箱または電波暗室であって、前記コモンモードノイズを抑制する装置が、直列に接続されたコモンモードチョークコイルと絶縁トランスと、前記差動伝送ライン間に接続された、2つのバランス抵抗を直列に接続した抵抗バランサとを有し、前記抵抗バランサは、前記コモンモードチョークコイルの一端の端子側と、前記コモンモードチョークコイルと前記絶縁トランスとの接続側、および前記絶縁トランスの他端子側の少なくとも１か所以上において実装され、前記抵抗バランサのバランス抵抗を直列に結ぶ接続線がグランドに接続される回路構造を持つことを特徴とする電波暗箱または電波暗室。
【請求項７】
前記コモンモードノイズを抑制する装置の回路構造において、前記抵抗バランサの一部もしくは全部が、２つのバランスインダクタからなるインダクタバランサもしくは中間タップつきインダクタであり、前記インダクタバランサもしくは前記中間タップ付きインダクタの中間タップとグランドとを接続する経路に、抵抗体が挿入された回路構造であることを特徴とする請求項６に記載の電波暗箱または電波暗室。
【請求項８】
前記コモンモードノイズを抑制する装置が、前記差動伝送ラインに接続される前記回路構造を複数個直列に接続した回路構造を持つことを特徴とする請求項６または請求項７に記載の電波暗箱または電波暗室。
【請求項９】
被試験物が入る空間を有する電波暗箱または電波暗室本体と、前記電波暗箱または電波暗室本体の外部に引き出される差動伝送ラインと、前記差動伝送ラインに直列に接続され、前記電波暗箱または電波暗室の本体壁に少なくとも一部が接して設置されたコモンモードノイズを抑制する装置とからなる電波暗箱または電波暗室であって、前記コモンモードノイズを抑制する装置が、直列に接続されたコモンモードチョークコイルと中間タップ付き絶縁トランスと、前記差動伝送ライン間に接続され、2つのバランス抵抗を直列に接続する抵抗バランサとを有し、前記抵抗バランサは、前記コモンモードチョークコイルの入出力端子の片側または両側において実装され、前記抵抗バランサのバランス抵抗を直列に結ぶ接続線がグランドに接続され、前記コモンモードチョークコイルに直接接続されていない前記絶縁トランスの他端子部側コイルの中間タップがグランドに接続される経路に、抵抗体が挿入される回路構造を持つことを特徴とする電波暗箱または電波暗室。
【請求項１０】
前記コモンモードノイズを抑制する装置が、前記差動伝送ラインに接続される前記回路構造を複数個直列に接続した回路構造を持つことを特徴とする請求項９に記載の電波暗箱または電波暗室。
【請求項１１】
前記コモンモードノイズ抑制装置の回路構造において、前記抵抗バランサの接合線とグランドとの経路、または、前記抵抗バランサの接合線とグランドとの経路と、前記インダクタバランサの中間タップにつながる前記抵抗体とグランドにつながる経路との合流経路に、直流カットコンデンサーが挿入されたことを特徴とする請求項３ないし請求項１０のいずれかに記載の電波暗箱または電波暗室。
【請求項１２】
請求項１ないし請求項１１のいずれかに記載の電波暗箱または電波暗室において、前記コモンモードノイズを抑制する装置がシールド膜もしくはシールド箱により電磁的にシールドされ、前記電波暗箱または電波暗室のシールド壁に少なくとも一部を接して設けられたことを特徴とする電波暗箱または電波暗室。
【発明の詳細な説明】
【技術分野】
【０００１】
本発明は、ノイズ対策装置付き電波暗箱または電波暗室に関する。
【背景技術】
【０００２】
近年、マイクロプロセッサの高速化が進み、信号の伝送速度も高速化している。そのためデジタル信号が広く使われるようになり、利便性は向上してきているが、デジタル信号はノイズを放射しやすく、外来ノイズの影響も受ける問題を持っている。すなわち、デジタル信号の伝送では、信号の振幅を小さくして高速化が図られるが、外来ノイズに弱いという問題があった。このノイズ対策として考え出された技術が差動伝送である。差動伝送では、信号伝送に２つのラインを利用し、このライン対を使って、互いに正反対極性の信号波形が伝送される方式である。ノイズに強い特性を有し、高速デジタル機器において、差動信号伝送は広く普及し始めている。
【０００３】
特に普及している携帯電話や無線LANなどの電波を発射す電子機器にも、LANやUSBなどの差動信号を活用した電子機器が多くなっている。これらの機器の開発時における性能の確認や、メンテナンス時の性能の確認を電波暗箱や電波暗室で行う機会が増えている。携帯電話や無線LANなどの電子機器の開発時やメンテナンス時の性能の確認は電波法等の制約もあり、外部と電気磁気的に遮断された電波暗箱や電波暗室の中で行う必要がある。
【０００４】
図１に電波暗箱または電波暗室での計測の一例を示す。図１において、１は電波暗箱または電波暗室、２は被試験物、３は差動伝送ライン、４は電波暗箱や電波暗室の壁、７は被測定物からの発射電波、８は差動伝送ラインを通して外部に放射されるノイズを模式的に示している。電波暗箱や電波暗室１の中にある被試験物２の制御をUSBやLANなどの差動信号で外部から制御する必要があるが、差動信号ライン３を通って携帯電話や無線LANで使っている無線信号やノイズがコモンモードノイズとして外部に放射される問題がある。
【０００５】
電波暗箱や電波暗室の外部へのノイズの放射を避けるには特別な設備が必要で、経費もかかり、実験室で簡単に測定評価することはむずかしい状況にあり、従来技術では十分に対応できていない。
【発明の開示】
【発明が解決しようとする課題】
【０００６】
差動伝送ライン３は、コモンモード成分が重塁したときには電磁放射ノイズが増大する欠点を有している。たとえば、被試験物である電子機器を電波暗箱や電波暗室の中で動作させ、その制御を行う差動信号を電気磁気的に絶縁された電波暗箱や電波暗室から外部に引き出す場合、図１に示すように、その差動伝送ライン３を発射電波７が伝わりノイズ８が外部に漏れ、電波暗箱や電波暗室の内部と外部の絶縁性能が劣化する問題がある。電波暗箱や電波暗室の外部にある制御装置から差動伝送ライン３を通して電波暗箱や電波暗室の中にある被試験物に信号を送る場合にも、同様の問題が起こる。
【０００７】
電波暗箱や電波暗室の中での携帯電話や無線LANなどの電子機器の開発時やメンテナンス時の性能の確認には直流信号や低周波の信号を引き出す場合がある。こうした直流信号や低周波の信号を引き出す場合には、ノイズが信号ラインを伝わり、漏れないようにするコンデンサやLC回路のローパスフィルタを用いた装置を使うことは公知である。しかし、差動信号を引き出す場合は、多くの場合、この差動信号は高速・高周波であるため、ローパスフィルタでは信号が通らず、ローパスフィルタを使うことはできない。
【０００８】
本発明は、差動信号を用いた電子機器を電波暗箱や電波暗室の中で動作させ、その差動信号を外部に引き出しても、その差動信号ラインを伝わってノイズが外部に漏れ、電波暗箱や電波暗室の絶縁性能を大きく劣化させない電波暗箱または電波暗室を提供することである。
【課題を解決するための手段】
【０００９】
上記課題を解決するために、本発明は次に示す構成を持って前記課題を解決する手段としている。
【００１０】
請求項１の発明は、被試験物が入る空間を有する電波暗箱または電波暗室本体と、前記電波暗箱または電波暗室本体の外部に引き出される差動伝送ラインと、前記差動伝送ラインに直列に接続され、前記電波暗箱または電波暗室の本体壁に少なくとも一部が接して設置されたコモンモードノイズを抑制する装置とからなる電波暗箱または電波暗室であって、前記コモンモードノイズを抑制する装置がコモンモードチョークコイルまたは絶縁トランスで構成された回路構造を持つ、電波暗箱または電波暗室の構成とする。
【００１１】
請求項２の発明は、請求項１に記載の前記コモンモードノイズを抑制する装置の回路構造が、前記差動伝送ラインに複数個直列に接続されたコモンモードチョークコイルまたは絶縁トランスおよびコモンモードチョークコイルと絶縁トランスの組み合わせである電波暗箱または電波暗室の構成とする。
【００１２】
請求項３の発明は、被試験物が入る空間を有する電波暗箱または電波暗室本体と、前記電波暗箱または電波暗室本体の外部に引き出される差動伝送ラインと、前記差動伝送ラインに直列に接続され、前記電波暗箱または電波暗室の本体壁に少なくとも一部を接して設置されたコモンモードノイズを抑制する装置とからなる電波暗箱または電波暗室であって、前記コモンモードノイズを抑制する装置が、コモンモードチョークコイルと、前記差動伝送ライン間に接続された、2つのバランス抵抗を直列に接続した抵抗バランサとを有し、前記抵抗バランサは前記コモンモードチョークコイルの入出力端子の片側または両側に実装され、前記抵抗バランサのバランス抵抗を直列に結ぶ接続線がグランドに接続される回路構造を持つ電波暗箱または電波暗室の構成とする。
【００１３】
請求項４の発明は、請求項３に記載の前記コモンモードノイズを抑制する装置の回路構造において、前記抵抗バランサの一部または全部が、２つのバランスインダクタからなるインダクタバランサもしくは中間タップつきインダクタであり、前記インダクタバランサもしくは前記中間タップ付きインダクタの中間タップとグランドを接続する経路に、抵抗体が挿入された回路構造の電波暗箱または電波暗室の構成とする。この抵抗の抵抗値を変えることによりインピーダンスマッチングのインピーダンスを調整することが出来る。
【００１４】
請求項５の発明は、請求項３および請求項４に記載の前記コモンモードノイズを抑制する装置の回路構造が、前記差動伝送ラインに接続される前記回路構造を複数個直列に接続した回路構造である電波暗箱または電波暗室の構成とする。
【００１５】
請求項６の発明は、被試験物が入る空間を有する電波暗箱または電波暗室本体と、前記電波暗箱または電波暗室本体の外部に引き出される差動伝送ラインと、前記差動伝送ラインに直列に接続され、前記電波暗箱または電波暗室の本体壁に少なくとの一部を接して設置されたコモンモードノイズを抑制する装置とからなる電波暗箱または電波暗室であって、前記コモンモードノイズを抑制する装置が、直列に接続されたコモンモードチョークコイルと絶縁トランスと、前記差動伝送ライン間に接続された、2つのバランス抵抗を直列に接続した抵抗バランサとを有し、前記抵抗バランサは、前記コモンモードチョークコイルの一端の端子側と、前記コモンモードチョークコイルと前記絶縁トランスとの接続側、および前記絶縁トランスの他端子側の少なくとも１か所以上において実装され、前記抵抗バランサのバランス抵抗を直列に結ぶ接続線がグランドに接続される回路構造を持つ電波暗箱または電波暗室の構成とする。
【００１６】
請求項７の発明は、請求項６に記載の前記コモンモードノイズを抑制する装置の回路構造において、前記抵抗バランサの一部もしくは全部が、２つのバランスインダクタからなるインダクタバランサもしくは中間タップつきインダクタであり、前記インダクタバランサもしくは前記中間タップ付きインダクタの中間タップとグランドとを接続する経路に、抵抗体が挿入された回路構造とする電波暗箱または電波暗室の構成とする。
【００１７】
請求項８の発明は、請求項６および請求項７に記載の前記コモンモードノイズを抑制する装置の回路構造が、前記差動伝送ラインに接続される前記回路構造を複数個直列に接続した回路構造である電波暗箱または電波暗室の構成とする。
【００１８】
請求項９の発明は、被試験物が入る空間を有する電波暗箱または電波暗室本体と、前記電波暗箱または電波暗室本体の外部に引き出される差動伝送ラインと、前記差動伝送ラインに直列に接続され、前記電波暗箱または電波暗室の本体壁に少なくとも一部を接して設置されたコモンモードノイズを抑制する装置とからなる電波暗箱または電波暗室であって、前記コモンモードノイズを抑制する装置が、直列に接続されたコモンモードチョークコイルと中間タップ付き絶縁トランスと、前記差動伝送ライン間に接続され、2つのバランス抵抗を直列に接続する抵抗バランサとを有し、前記抵抗バランサは、前記コモンモードチョークコイルの入出力端子の片側または両側において実装され、前記抵抗バランサのバランス抵抗を直列に結ぶ接続線がグランドに接続され、前記コモンモードチョークコイルに直接接続されていない前記絶縁トランスの他端子部側コイルの中間タップがグランドに接続される経路に、抵抗体が挿入される回路構造を持つ電波暗箱または電波暗室の構成とする。
【００１９】
請求項１０の発明は、請求項９に記載のコモンモードノイズを抑制する装置の回路構造が、前記差動伝送ラインに接続される前記回路構造を複数個直列に接続した回路構造である電波暗箱または電波暗室の構成とする。
【００２０】
請求項１１の発明は、請求項３ないし請求項１０のいずれかに記載の前記コモンモードノイズ抑制装置の回路構造において、前記抵抗バランサの接合線とグランドとの経路、または、前記抵抗バランサの接合線とグランドとの経路と、前記インダクタバランサの中間タップにつながる前記抵抗体とグランドにつながる経路との合流経路に、直流カットコンデンサーが挿入された回路構造を持つ電波暗箱または電波暗室の構成とする。直流カットコンデンサーを挿入することにより、抵抗バランサを挿入することにより発生する伝送ロスを減少させることが出来る。
【００２１】
請求項１２の発明は、請求項１ないし請求項１１のいずれかに記載の電波暗箱または電波暗室において、前記コモンモードノイズを抑制する装置がシールド膜もしくはシールド箱により電磁気的にシールドされ、前記電波暗箱または電波暗室のシールド壁に少なくとも一部を接して設けられた電波暗箱または電波暗室の構成とする。
【発明の効果】
【００２２】
電波暗箱または電波暗室のシールド壁を通して引き出される差動伝送ラインを通さなければならない差動信号は、差動伝送ライン間のディファレンシャル信号であり、問題になる放射ノイズは大地または筐体と各ラインのベクトル的平均として現れるコモンモードノイズである。本発明によるコモンモードチョークコイル、絶縁トランス、抵抗バランサ、インダクタバランサなどによる構成とすれば、上記のいずれの構成もディファレンシャル信号を減衰させず、コモンモードノイズを減衰させる効果を発揮する。
【００２３】
上記に示した電波暗箱や電波暗室の構成により、携帯電話や無線LANなどの電波を発射す電子機器の開発時の性能の確認やメンテナンス時の性能の確認を、電磁気的に遮断して行うことができる。また、電波暗箱や電波暗室の中にある被試験物の制御をUSBやLANなどの差動信号で外部から制御することも可能となる計測装置が提供でき、産業上有益である。
【発明を実施するための最良の形態】
【００２４】
以下、本発明の実施の形態について図を参照して説明する。
【実施例１】
【００２５】
図２は、実施例１を示す概要図（ブロックダイヤグラム）である。図2において、電波暗箱または電波暗室本体１の内部空間に被試験物２が入り、差動伝送ライン３が被試験物２に接続され、電波暗箱または電波暗室本体１の外部に引き出される。コモンモードノイズを抑制する装置５は差動伝送ライン３に直列に接続され、電波暗箱または電波暗室の本体壁４に少なくとも一部を接して設置され、電波暗箱または電波暗室１がこれら上記の要素により構成される。本実施例では、図3に示すコモンモードチョークコイルを差動伝送ライン３に接続する回路構造を持つコモンモードノイズを抑制する装置５が代表的に示されている。外部に引き出された差動伝送ライン３に、制御装置を接続すれば、電波暗箱または電波暗室１の内部にある被試験物２を外部から制御、計測できる構成となっている。
【００２６】
コモンモードノイズを抑制する装置５の前記コモンモードチョークコイルを、図４に示す絶縁トランスに置き換え、コモンモードノイズを抑制する装置５とすることができる。また、前記コモンモードノイズを抑制する装置の回路構造が、前記差動伝送ラインに複数個直列に接続されるコモンモードチョークコイルまたは絶縁トランスおよびコモンモードチョークコイルと絶縁トランスの組み合わせとする構成とすることもできる。
【００２７】
コモンモードノイズを抑制する装置５の回路を構成するコモンモードチョークコイルや絶縁トランスのコイル線間の結合容量小さくし、コモンモードの信号に対するインピーダンスを数キロオームに設定したものを用いる。このコモンモードノイズを抑制する装置５をシールド壁４に設けることによって、ディファレンシャル信号は全く減衰せず、コモンモードノイズ８を減衰させることができる。
【００２８】
コモンモードノイズを抑制する装置５の構成が無い図1に示す従来例では、電波暗室内の差動伝送ラインに発射電波７が伝わり、電波暗箱または電波暗室１の内部と外部の絶縁性能が劣化し、コモンモードノイズ８が電波暗箱または電波暗室１の外部に漏れる。
本実施例では、電波暗室または電波暗室１内の差動伝送ライン３に伝わるコモンモードノイズが、電波暗箱または電波暗室１の外部に漏れるのを抑制でき、電波暗箱または電波暗室１の差動伝送信号引き出しラインのノイズ対策に用いることができる。
【実施例２】
【００２９】
図５は、実施例２を示す概要図である。図２におけるコモンモードノイズを抑制する装置５の他の実施例を示している。図５において、コモンモードチョークコイル１０を差動伝送ライン３に挿入し、コモンモードチョークコイル１０の入出力の両端子部において、差動伝送ライン間に2つのバランス抵抗１１と１２および１３と１４をそれぞれ直列につないで抵抗バランサを構成している。バランス抵抗１１と１２およびバランス抵抗１３と１４をつなぐそれぞれの結合線１８−１、１８−２をグラウンドに接続して、コモンモードノイズを抑制する装置５が構成される。
【実施例３】
【００３０】
実施例３は、図６に示される回路構造を取る。図５に示す抵抗バランサの一つを中間タップ付きインダクタ１５に置き換えた、コモンモードノイズを抑制する装置５の他の実施例である。中間タップ付きインダクタ１５の中間タップがグランドに接続され、その接続線の途中に抵抗体１６が実装される。
【実施例４】
【００３１】
図７に示す実施例４は、図5の構成を持つコモンモードノイズを抑制する装置を直列につないだコモンモードノイズを抑制する装置の他の実施例である。この実施例では、コモンモードチョークコイル２０と２５が直列に接続され、抵抗バランサ（バランス抵抗２１と２２、２３と２４、２６と２７）がコモンモードチョークコイル２０と２５の各端子部に実装される。バランス抵抗をつなぐそれぞれの接続線１８−４、１８−５、１８−６がグランドに接続される。この回路構造により、より大きなコモンモードノイズの低減が実現できる。
【００３２】
コモンモードノイズは、入力回路や差動伝送ラインおよび負荷回路のインピーダンスのアンバランスなどでも発生する。図５、図6、図７の実施例で示すように、コモンモードチョークコイル１０、２０，２５と、差動伝送ライン間に２つのバランス抵抗を直列に接続して構成される抵抗バランサや、差動伝送ライン間に２つのバランスインダクタを直列に接続して構成されるインダクタバランサとを組み合わせることにより、このディファレンシャルモード成分のうち、ノイズとしてコモンモードチョークコイルを通り抜ける成分を減衰させることができる。また、同時に、負荷側のコモンモードインピーダンスが下がり、コモンモードノイズの低減をより大きくできる。
【実施例５】
【００３３】
図８は、実施例５を示す概要図であり、図２のコモンモードノイズを抑制する装置５にコモンモードチョークコイルと絶縁トランスを用いた他の実施例である。コモンモードチョークコイル２０と絶縁トランス３０を直列に接続し、コモンモードチョークコイル２０の両端子部でバランス抵抗２１と２２，２３と２４、をそれぞれ直列に差動伝送ライン３間に実装し、絶縁トランス３０のコモンモードチョークコイル２０につながっていない端子側でバランス抵抗２６と２７を直列に差動伝送ライン３に実装し、バランス抵抗２１と２２、バランス抵抗２３と２４、バランス抵抗２６と２７をつなぐそれぞれの結合線１８−７，１８−８，１８−９をグラウンドに接続して、前記コモンモードノイズを抑制する装置５が構成される。
【実施例６】
【００３４】
図９に示す実施例６は、図８の抵抗バランサの一部をインダクタバランサ２８に置き換えた他の実施例である。絶縁トランス３０とコモンモードチョークコイル２０が直列に接続される。絶縁トランス３０の両端子部でバランス抵抗２１と２２，２３と２４、をそれぞれ直列に差動伝送ライン３間に実装し、絶縁トランス３０とつながっていないコモンモードチョークコイル２０の端子側で差動伝送ライン３に中間タップを持つインダクタバランサ２８を実装している。バランス抵抗２１と２２、バランス抵抗２３と２４、をつなぐそれぞれの結合線１９−１，１９−２をグラウンドに接続している。インダクタバランサ２８の中間タップは、抵抗体２９を通してブランドに接続され、前記コモンモードノイズを抑制する装置５が構成される。
【実施例７】
【００３５】
図10に示す実施例７は、図２のコモンモードノイズを抑制する装置５の回路構造として、コモンモードチョークコイル２０と中間タップ付き絶縁トランス３５を直列に接続し、抵抗バランサを組み合わせた実施例である。コモンモードチョークコイル２０の両端子部で、バランス抵抗２１と２２，２３と２４をそれぞれ直列に差動伝送ライン間に実装し、それぞれの抵抗同士をつなぐ結合線１９−３、１９−４をグランドに接続している。絶縁トランス３５の中間タップは抵抗体２９を通してグランドに接続して、絶縁トランスの中間タップをバランスインダクタとして利用している。図９の実施例６より回路構成部品を減らした前記コモンモードノイズを抑制する装置５が構成される。
【００３６】
理想的な絶縁トランスはコモンモードの信号は全く通さないが、現実の絶縁トランスには１次巻き線と２次巻き線間にはいくらかの浮遊容量があり、一部のコモンモード成分が通過し、コモンモード成分を十分抑制できないことがある。そのような場合には、前記実施例のようにコモンモードチョークとバランス抵抗やバランスインダクタとの組み合わせと、絶縁トランスとバランス抵抗やバランスインダクタと組み合わせた回路を直列に複数段接続したものを使うのがコモンモードノイズを抑制する上で効果がある。
【実施例８】
【００３７】
図１１は、実施例８を示す概要図である。図２のコモンモードノイズを抑制する装置５の回路構造に関する図５前記実施例において、抵抗バランサからグランドへの経路に、直流カットコンデンサ１７が挿入された実施例である。図１１の実施例８では、抵抗バランサの結合線１８−１および１８−２とグランドをつなぐ接続線の途中に直流カットコンデンサ１７が実装される。
【実施例９】
【００３８】
図１３は、実施例９を示す概要図である。図２のコモンモードノイズを抑制する装置５の回路構造に関する図７の前記実施例において、抵抗バランサからグランドへの経路に、直流カットコンデンサ１７が挿入された実施例である。図１３の実施例９では、3つの結合線１８−４，１８−５，１８−６とグランドをつなぐ接続線に直流カットコンデンサ１７が実装される。
【実施例１０】
【００３９】
図１４は、実施例１０を示す概要図である。図２のコモンモードノイズを抑制する装置５の回路構造に関する図８の前記実施例において、抵抗バランサからグランドへの経路に、直流カットコンデンサ１７が挿入された実施例である。図１４の実施例１０では、３つの接合線１８−７，１８−８，１８−９とグランドをつなぐ接続線に直流カットコンデンサ１７が実装される。
【実施例１１】
【００４０】
図１２は実施例１１を示す概要図である。図２のコモンモードノイズを抑制する装置５の回路構造に関する図６の前記実施例において、抵抗バランサとインダクタバランサの構成に直流カットコンデンサが実装された例である。図１２の実施例１１は、抵抗バランサの接合線１８−３からグランドへの経路と、インダクタバランサ１５の中間タップにつながる抵抗体１６からの経路が合流してグランドに接続される経路に直流カットコンデンサ３１が挿入された実施例である。
【実施例１２】
【００４１】
図１５は実施例１２を示す概要図である。図２のコモンモードノイズを抑制する装置５の回路構造に関する図９の前記実施例において、抵抗バランサとインダクタバランサの構成に直流カットコンデンサが実装された例である。図１５の実施例１２は、抵抗バランサの接合線１９−１および１９−２からグランドへの経路と、中間タップ付インダクタ２８の中間タップにつながる抵抗体２９からの経路が合流してグランドに接続される経路に、直流カットコンデンサ３１が挿入された実施例である。
【実施例１３】
【００４２】
図１６は実施例１３を示す概要図である。図２のコモンモードノイズを抑制する装置５の回路構造に関する図１０の前記実施例において、抵抗バランサとインダクタバランサの構成に直流カットコンデンサが実装された例である。図１６の実施例１３は、抵抗バランサの接合線１９−３および１９−４からグランドへの経路と、中間タップ付絶縁トランス３５の中間タップにつながる抵抗体２９からの経路が合流してグランドに接続される経路に、直流カットコンデンサ３１が挿入された実施例である。
【００４３】
図１１から図１６までの回路構成では、差動伝送ラインに乗る直流成分が直流カットコンデンサ１７や３１によりカットされるために、信号のパワーロスの低減が図れる効果がある。
【実施例１４】
【００４４】
図１７は実施例１４を示す概要図である。前記コモンモードノイズを抑制する装置５を電波暗箱もしくは電波暗室のシールド壁４に設置する際に、コモンモードノイズを抑制する装置５をシールド板や電波吸収体からなる電磁気的なシールド膜もしくはシールドケース６で覆い、電波暗箱もしくは電波暗室のシールド壁４に少なくとも1部を接して設置した構造とする。本実施例では、コモンモードノイズを抑制する装置５は電波暗箱もしくは電波暗室のシールド壁４の内側に設置しているが、電波暗箱もしくは電波暗室のシールド壁４の内部または貫通させても良く、また、電波暗箱もしくは電波暗室のシールド壁４の外部に位置してもよい。こうしたシールドにより、より確実にコモンモードノイズを抑制することができる。
【００４５】
なお、この発明は、上記実施例に限定されるものではなく、発明の要旨の範囲内において種々の変形や変更が可能である。
【産業上の利用可能性】
【００４６】
携帯電話や無線LANなどの電波を発射す電子機器で、LANやUSBなどの差動信号を活用することが一般化している。これらの機器の開発やメンテナンスの時の試験は、大きい電波暗室を使い、試験を行う人も中に入り、LANやUSBなどの差動信号の制御を行いながら試験をしている。電波暗箱や電波暗室から差動信号ラインを引き出して制御する場合には、ノイズを避けるために差動信号を光変換している。電波暗室の中に試験を行う人が入って制御するためには大きな電波暗室が必要になり、また、人体による反射や吸収の問題も生じ、技術的にも好ましくない。一方コスト面では、大きな電波暗室が必要となるためにコスト高となり、光変換もコスト高要因となる。また、光変換の技術的な問題もある。本発明によればこれらの課題が解決でき、携帯電話や無線LANなどの電波を発射す電子機器の開発やメンテナンス時の技術的な設定精度が向上でき、コストの低減にも寄与することができる。
【図面の簡単な説明】
【００４７】
【図１】従来の電波暗箱または電波暗室の概略構造図である。
【図２】本発明の電波暗箱または電波暗室の構成の一例を示す概略構造図である。
【図３】コモンモードチョークコイルの回路図である。
【図４】絶縁トランスの回路図である。
【図５】コモンモードチョークコイルと抵抗バランサを組み合わせたコモンモードノイズを抑制する装置の回路図である。
【図６】コモンモードチョークコイルと抵抗バランサおよびインダクタバランサを組み合わせたコモンモードノイズを抑制する装置の回路図である。
【図７】コモンモードチョークコイルとバランス抵抗の組み合わせた回路を直列に複数段接続したコモンモードノイズを抑制する装置の回路図である。
【図８】コモンモードチョークコイルと絶縁トランスおよび抵抗バランサを組み合わせたコモンモードノイズを抑制する装置の回路図である。
【図９】コモンモードチョークコイルと絶縁トランスと抵抗バランサおよびインダクタバランサを組み合わせたコモンモードノイズを抑制する装置の回路図である。
【図１０】コモンモードチョークコイルと中間タップつき絶縁トランスに抵抗バランサを組み合わせたコモンモードノイズを抑制する装置の回路図である。
【図１１】グランドに対して直流カットコンデンサを挿入したコモンモードチョークコイルと抵抗バランサを組み合わせたコモンモードノイズを抑制する装置の回路である。
【図１２】グランドに対して直流カットコンデンサを挿入したコモンモードチョークコイルと抵抗バランサおよびインダクタバランサを組み合わせたコモンモードノイズを抑制する装置の回路図である。
【図１３】グランドに対して直流カットコンデンサを挿入したコモンモードチョークコイルとバランス抵抗の組み合わせた回路を直列に複数段接続したコモンモードノイズを抑制する装置の回路図である。
【図１４】グランドに対して直流カットコンデンサを挿入したコモンモードチョークコイルと絶縁トランスおよび抵抗バランサを組み合わせたコモンモードノイズを抑制する装置の回路図である。
【図１５】グランドに対して直流カットコンデンサを挿入したコモンモードチョークコイルと絶縁トランスと抵抗バランサおよびインダクタバランサを組み合わせたコモンモードノイズを抑制する装置の回路図である。
【図１６】グランドに対して直流カットコンデンサを挿入したコモンモードチョークコイルと中間タップつき絶縁トランスに抵抗バランサを組み合わせたコモンモードノイズを抑制する装置の回路図である。
【図１７】コモンモードノイズを抑制する装置を電磁波を遮蔽するシールドで覆った本発明の電波暗箱または電波暗室の構成の一例を示す概略構造図（ブロックダイヤグラム）である。
【符号の説明】
【００４８】
１：電波暗箱または電波暗室
２：差動伝送信号を使っている被試験物
３：差動伝送信号ライン
４：電波暗箱または電波暗室のシールド壁
５：コモンモードノイズを抑制する装置
６：シールド膜またはシールド箱
７：発射電波
８：ノイズ
１０、２０、２５：コモンモードチョークコイル
１１：バランス抵抗
１２：バランス抵抗
１３：バランス抵抗
１４：バランス抵抗
１５：インダクタバランサ（中間タップ付きインダクタ）
１６、２９：抵抗体
１７、３１：ＤＣ成分カットコンデンサ
１８−１、１８−２、１８−３、１８−４，１８−５，１８−６，１８−７，１８−８，１８−９：結合線
１９−１，１９−２，１９−３，１９−４：結合線
２１： バランス抵抗
２２：バランス抵抗
２３：バランス抵抗
２４：バランス抵抗
２６：バランス抵抗
２７：バランス抵抗
２８：インダクタバランサ（中間タップ付きインダクタ）
３０：絶縁トランス
３５：絶縁トランス中間タップ付き
【図１】
2009283644.tif 000003
【図２】
2009283644.tif 000004
【図３】
2009283644.tif 000005
【図４】
2009283644.tif 000006
【図５】
2009283644.tif 000007
【図６】
2009283644.tif 000008
【図７】
2009283644.tif 000009
【図８】
2009283644.tif 000010
【図９】
2009283644.tif 000011
【図１０】
2009283644.tif 000012
【図１１】
2009283644.tif 000013
【図１２】
2009283644.tif 000014
【図１３】
2009283644.tif 000015
【図１４】
2009283644.tif 000016
【図１５】
2009283644.tif 000017
【図１６】
2009283644.tif 000018
【図１７】
2009283644.tif 000019